(57)【要約】【課題】  ミティスの検出および定量を簡便且つ正確に行なう。【解決手段】  本発明の抗ミティスモノクローナル抗体の作製方法は、ミティスで免疫した哺乳動物の脾臓細胞と、哺乳動物の骨髄腫由来の細胞とを細胞融合することによって、モノクローナル抗体を産生する少なくとも１つの細胞株を得る工程Ｓｔ１と、少なくとも１つの細胞株から産生されるモノクローナル抗体を、ミティスおよびミティス以外のストレプトッコカス属細菌に対する結合能を免疫測定法で検定することによって、ミティスに特異的に結合するモノクローナル抗体を産生する細胞株を選抜する工程Ｓｔ２とを含む。【選択図】  図１
2005220044.tif 000002
【特許請求の範囲】
【請求項１】
ミティスで免疫した哺乳動物の脾臓細胞と、哺乳動物の骨髄腫由来の細胞とを細胞融合することによって、モノクローナル抗体を産生する少なくとも１つの細胞株を得る工程（ａ）と、
上記少なくとも１つの細胞株から産生されるモノクローナル抗体を、ミティスおよびミティス以外のストレプトッコカス属細菌に対する結合能を免疫測定法で検定することによって、ミティスに特異的に結合するモノクローナル抗体を産生する細胞株を選抜する工程（ｂ）と、
を含む、抗ミティスモノクローナル抗体の作製方法。
【請求項２】
ミティスに対して結合能を有し、且つ上記ミティス以外のストレプトッコカス属細菌に対して結合能を有しないモノクローナル抗体を産生する、細胞株。
【請求項３】
請求項２に記載の細胞株であって、
独立行政法人産業技術総合研究所特許生物寄託センター受託番号ＦＥＲＭ  ＢＰ−０８５９９号である、細胞株。
【請求項４】
ミティスに対して結合能を有し、且つ上記ミティス以外のストレプトッコカス属細菌に対して結合能を有しない、抗ミティスモノクローナル抗体。
【請求項５】
請求項４に記載の抗ミティスモノクローナル抗体であって、
独立行政法人産業技術総合研究所特許生物寄託センター受託番号ＦＥＲＭ  ＢＰ−０８５９９号である細胞株から産生される、抗ミティスモノクローナル抗体。
【請求項６】
第１の抗体および第２の抗体を含むミティス検出キットであって、
上記第１の抗体が、抗ミティス抗体であり、
上記第２の抗体が、標識された抗ミティス抗体であり、
上記第１の抗体または上記第２の抗体の少なくとも一方が、上記ミティス以外のストレプトッコカス属細菌に対して結合能を有しない抗ミティスモノクローナル抗体である、ミティス検出キット。
【請求項７】
請求項６に記載のミティス検出キットであって、
上記第１の抗体が、固相に固定化されており、
上記第２の抗体が、上記ミティス以外のストレプトッコカス属細菌に対して結合能を有しない抗ミティスモノクローナル抗体であり、且つ移動相に含まれている、ミティス検出キット。
【請求項８】
請求項６に記載のミティス検出キットであって、
上記抗ミティスモノクローナル抗体は、独立行政法人産業技術総合研究所特許生物寄託センター受託番号ＦＥＲＭ  ＢＰ−０８５９９号である細胞株から産生される、ミティス検出キット。
【発明の詳細な説明】
【技術分野】
【０００１】
本発明は、ミティス菌（Ｓｔｒｅｐｔｏｃｏｃｃｕｓ  ｍｉｔｉｓ、本明細書中ではミティスと略して称する）に特異的なモノクローナル抗体、およびこのモノクローナル抗体を産生する細胞株、およびこのモノクローナル抗体を含むキットに関する。
【背景技術】
【０００２】
ミティスは、ミュータンス菌（Ｓｔｒｅｐｔｏｃｏｃｃｕｓ  ｍｕｔａｎｓ、以下単にミュータンスと記す）とともに、動物の口腔内に生息している細菌である。そのため、ミティスの検査は、口腔衛生の観点から非常に有用である。例えば、ミティスに対して特異的な抗体が得られれば、口腔衛生の判定等を行なうことが出来る。しかし、これまでにミティスに対して特異的な抗体は得られておらず、ミティスを免疫学的に検出する方法も開発されていない。このため、一般的には、培養法を利用して、他の細菌（Ｓｔｒｅｐｔｏｃｏｃｃｕｓ  ｍｕｔａｎｓ、Ｓｔｒｅｐｔｏｃｏｃｃｕｓ  ｃｒｉｃｅｔｕｓ、Ｓｔｒｅｐｔｏｃｏｃｃｕｓ  ｒａｔｔｕｓなど）とともに生育させ、生育した細菌集団の中に存在するミティスを検出する方法が実施されている。
【非特許文献１】Medecine et Maladies Infectieuses, Volume 29, Issue 11, November 1999, Pages 721-722 、T. Staub-Schmidt, O. Dalledone, C. Herrmann and D. Christmann。
【発明の開示】
【発明が解決しようとする課題】
【０００３】
しかし、上述のような培養法を用いたミティスの検出方法では、ミティスを検出するために２４時間以上の時間を必要とする。また、操作が煩雑で、ミティスの定量も容易ではない。このため、ミティスの検出および定量をより簡便且つ正確に行なうことが望まれている。
【０００４】
本発明は、上記事情を鑑みてなされたものであり、ミティスの検出および定量を簡便且つ正確に行なうための抗ミティスモノクローナル抗体、これを産生する細胞株、抗ミティスモノクローナル抗体の作製方法、ミティス検出キットを提供することを目的とする。
【課題を解決するための手段】
【０００５】
本発明の抗ミティスモノクローナル抗体の作製方法は、ミティスで免疫した哺乳動物の脾臓細胞と、哺乳動物の骨髄腫由来の細胞とを細胞融合することによって、モノクローナル抗体を産生する少なくとも１つの細胞株を得る工程（ａ）と、上記少なくとも１つの細胞株から産生されるモノクローナル抗体を、ミティスおよびミティス以外のストレプトッコカス属細菌に対する結合能を免疫測定法で検定することによって、ミティスに特異的に結合するモノクローナル抗体を産生する細胞株を選抜する工程（ｂ）とを含む。
【０００６】
本発明の抗ミティスモノクローナル抗体の作製方法では、融合細胞の各細胞株から産生されるモノクローナル抗体について、ミティスおよびミティス以外のストレプトッコカス属細菌に対する結合能を免疫測定法で検定することによって、ミティスに特異的に結合するモノクローナル抗体を産生する細胞株を選抜する。このため、ミティス以外のストレプトッコカス属細菌に対する交叉反応性が非常に低い抗ミティスモノクローナル抗体を産生する細胞株を選抜することができるため、ミティス以外のストレプトッコカス属細菌に対する交叉反応性が非常に低い抗ミティスモノクローナル抗体を大量に得ることが容易となる。従って、ミティスの検出および定量を、正確に、且つ簡便に行なうことが可能な抗ミティスモノクローナル抗体、およびミティス検出キットを提供することができる。
【０００７】
本発明の細胞株は、ミティスに対して結合能を有し、且つ上記ミティス以外のストレプトッコカス属細菌に対して結合能を有しないモノクローナル抗体を産生する。
【０００８】
上記細胞株は、独立行政法人産業技術総合研究所特許生物寄託センター受託番号ＦＥＲＭ  ＢＰ−０８５９９号であってもよい。
【０００９】
本発明の抗ミティスモノクローナル抗体は、ミティスに対して結合能を有し、且つ上記ミティス以外のストレプトッコカス属細菌に対して結合能を有しない。
【００１０】
上記抗ミティスモノクローナル抗体は、独立行政法人産業技術総合研究所特許生物寄託センター受託番号ＦＥＲＭ  ＢＰ−０８５９９号である細胞株から産生されるものであってもよい。
【００１１】
本発明のミティス検出キットは、第１の抗体および第２の抗体を含むミティス検出キットであって、上記第１の抗体が、抗ミティス抗体であり、上記第２の抗体が、標識された抗ミティス抗体であり、上記第１の抗体または上記第２の抗体の少なくとも一方が、上記ミティス以外のストレプトッコカス属細菌に対して結合能を有しない抗ミティスモノクローナル抗体である。
【００１２】
本発明のミティス検出キットによれば、第１の抗体と第２の抗体とがミティスを挟むように結合する。このため、ミティスをサンドイッチ方式のアッセイによって検出および定量することができる。例えば、第１の抗体または第２の抗体の少なくとも一方を固定しておけば、ミティスと第１の抗体と第２の抗体とが結合した複合体が固定され、第２の抗体の標識を測定することによって、ミティスを容易に検出することができる。
【００１３】
特に、本実施形態のミティス検出キットでは、第１の抗体または第２の抗体の少なくとも一方が、ミティス以外のストレプトッコカス属細菌に対する交叉反応性がほとんどない抗ミティスモノクローナル抗体であるため、ミティスの検出および定量を簡便且つ正確に行なうことができる。
【００１４】
上記第１の抗体が、固相に固定化されており、上記第２の抗体が、上記ミティス以外のストレプトッコカス属細菌に対して結合能を有しない抗ミティスモノクローナル抗体であり、且つ移動相に含まれている構成とすることが好ましい。
【００１５】
このことによって、一般的な光学機器（吸光光度計など）以外、特別な装置を必要とせず、非常に簡単にミティスの検出および定量を行なうことができる。
【００１６】
上記抗ミティスモノクローナル抗体は、独立行政法人産業技術総合研究所特許生物寄託センター受託番号ＦＥＲＭ  ＢＰ−０８５９９号である細胞株から産生されたものであることが好ましい。
【発明の効果】
【００１７】
本発明によれば、ミティスの検出および定量を簡便且つ正確に行なうための抗ミティスモノクローナル抗体、これを産生する細胞株、抗ミティスモノクローナル抗体の作製方法、ミティス検出キットを提供することを提供することができる。
【発明を実施するための最良の形態】
【００１８】
以下、本発明の実施の形態を説明する。
【００１９】
簡便な方法で被測定物質の検出および定量を行なうため、モノクローナル抗体を用いたサンドイッチ方式の免疫クロマトグラフィーがよく利用される。
【００２０】
サンドイッチ方式の免疫クロマトグラフィーでは、２種類の抗体を用い、まず一方を固相に固定化しておく。次に標識されたもう一方の抗体と被測定物質とを反応させた後、これを移動相として固相部分に対して流す。その結果、２種類の抗体は被測定物質を介してサンドイッチ状に結合する。従って、被測定物質が存在する場合にのみ固相上に標識を確認することができる。
【００２１】
ミティスは、細菌であり、ミティスを介してサンドイッチ状に結合できるモノクローナル抗体のペアを得ることは比較的容易である。しかし、モノクローナル抗体を用いる場合、抗体が均一であるため、このモノクローナル抗体の交叉反応性が非常に重要である。ミティスに結合するモノクローナル抗体の中には、ミティスだけでなくミティス以外のストレプトッコカス属細菌に対しても高い結合能を有するモノクローナル抗体が存在し得る。このようなモノクローナル抗体をサンドイッチ法に用いると、ミティスの正確な定量に支障をきたす恐れがある。従って、ミティスの検出および定量を簡便且つ正確に行なうためには、ミティス以外のストレプトッコカス属細菌に対する交叉反応性が低い抗ミティスモノクローナル抗体を用いる必要がある。
【００２２】
そこで、本実施形態では、次に述べる方法で、ミティス以外のストレプトッコカス属細菌に対する交叉反応性が低い抗ミティスモノクローナル抗体およびそれを産生する細胞株を作製する。
【００２３】
―抗ミティスモノクローナル抗体およびそれを産生する細胞株の作製方法―
本実施形態の抗ミティスモノクローナル抗体およびそれを産生する細胞株の作製方法を、図１を参照しながら説明する。図１は、本実施形態の抗ミティスモノクローナル抗体およびそれを産生する細胞株の作製方法を表すフローチャートである。
【００２４】
図１に示すように、本実施形態の抗ミティスモノクローナル抗体の作製方法は、ミティスで免疫した哺乳動物の脾臓細胞と、哺乳動物の骨髄腫由来の細胞とを細胞融合することによって、モノクローナル抗体を産生する少なくとも１つの細胞株を得る工程Ｓｔ１と、上記少なくとも１つの細胞株から産生されるモノクローナル抗体を、ミティスおよびミティス以外のストレプトッコカス属細菌に対する結合能を免疫測定法で検定することによって、ミティスに特異的に結合するモノクローナル抗体を産生する細胞株を選抜する工程Ｓｔ２とを含む。
【００２５】
本実施形態の方法によれば、融合細胞の各細胞株から産生されるモノクローナル抗体について、ミティスおよびミティス以外のストレプトッコカス属細菌に対する結合能を免疫測定法で検定することによって、ミティスに特異的に結合するモノクローナル抗体を産生する細胞株を選抜する。このため、ミティス以外のストレプトッコカス属細菌に対する交叉反応性が非常に低い抗ミティスモノクローナル抗体を産生する細胞株を選抜することができるため、ミティス以外のストレプトッコカス属細菌に対する交叉反応性が非常に低い抗ミティスモノクローナル抗体を大量に得ることが容易となる。従って、ミティスの検出および定量を、正確に、且つ簡便に行なうことが可能な抗ミティスモノクローナル抗体、およびミティス検出キットを提供することができる。
【００２６】
上記工程Ｓｔ２において、ミティスに対して結合能を有し、且つミティス以外のストレプトッコカス属細菌に結合しない、モノクローナル抗体を産生する細胞株を選抜することが好ましい。
【００２７】
次に、各工程の詳細を順に説明する。なお、本実施形態においては、特に指示のない限り、当該分野で公知である、タンパク質の分離および分析法、ならびに免疫学的手法が採用され得る。これらの手法は、市販の酵素、キット、抗体、標識物質などを使用して行なうことができる。また、以下の説明で記載されているミティス、ミティス以外のストレプトッコカス属細菌は、すべてヒトの口腔内から単離したものである。
【００２８】
なお、本実施形態で免疫に用いるミティスは、人の口腔内から単離したものであるが、市販のもの（例えば、アメリカンタイプカルチャーコレクション、アメリカ合衆国  ＰＯ．  Ｂｏｘ  １５４９  Ｍａｎａｓｓａｓ，  ＶＡ  ２０１０８  から入手できる、ｍｉｔｉｓ番号：１５９１４）を用いてもよい。ヒトの口腔内からは、定法に従い、ＭＳ寒天培地上でムコイド型のコロニーとして単離され得る。
【００２９】
なお、本実施形態では、ヒトの口腔内に存在するミティス、およびそれに特異的に結合する抗ミティスモノクローナル抗体について説明するが、本発明は、ヒト以外の哺乳類（イヌ、ネコ、ウシ、ウマなど）のミティスに特異的に結合する抗ミティスモノクローナル抗体にも、全く同様に適用可能である。
【００３０】
まず、工程Ｓｔ１の詳細を説明する。
【００３１】
（免疫）
まず、哺乳動物をミティスで免疫することによって、動物体内で抗体産生細胞を調製する。
【００３２】
「哺乳動物」の例として、マウス、ラット、ウシ、ウサギ、ヤギ、ヒツジ、モルモットが挙げられる。哺乳動物は、好ましくはマウスおよびラットであり、より好ましくはマウスである。マウスの例として、Ａ／Ｊ系統、ＢＡＬＢ／Ｃ系統、ＤＢＡ／２系統、Ｃ５７ＢＬ／６系統、Ｃ３Ｈ／Ｈｅ系統、ＳＪＬ系統、ＮＺＢ系統、ＣＢＡ／ＪＮＣｒｊ系統のマウスが挙げられる。ＢＡＬＢ／Ｃ系統のマウスは、免疫後に血清中に高い抗体力価を示すので、ミティスとの親和性が極めて高いモノクローナル抗体を得ることが可能である。血中抗体力価が、特異的なハイブリドーマの出来易さと関係していることは公知である。また、細胞株の確立後の腹水による抗体大量作製においては、ＢＡＬＢ／Ｃ系統マウスが一般によく使用される。以上の理由により、ＢＡＬＢ／Ｃ系統のマウスを用いることが、ミティスの免疫に好ましい。実験動物の齢は、特に限定されないが、代表的には約４週齢〜約１２週齢であり、好ましくは約６〜約１０週齢、より好ましくは約７週齢のマウスまたはラットを用いる。
【００３３】
免疫の前に、ミティスは、免疫応答を増強させるためにアジュバントと混合される。アジュバントの例としては、油中水型乳剤（例えば、不完全フロイントアジュバント）、水中油中水型乳剤、水中油型乳剤、リポソーム、水酸化アルミニウムゲル、シリカアジュバント、粉末ベントナイト、およびタピオカアジュバントの他に、ＢＣＧ、Ｐｒｏｐｉｏｎｉｂａｃｔｅｒｉｕｍ  ａｃｎｅｓなどの菌体、細胞壁およびトレハロースダイコレート（ＴＤＭ）などの菌体成分；グラム陰性菌の内毒素であるリポ多糖体（ＬＰＳ）およびリピドＡ画分；βグルカン（多糖体）；ムラミルジペプチド（ＭＤＰ）；ベスタチン；レバミゾールなどの合成化合物；胸腺ホルモン、胸腺ホルモン液性因子およびタフトシンなどの生体成分由来のタンパク質またはペプチド性物質；ならびにそれらの混合物（例えば、完全フロイントアジュバント）などが挙げられる。
【００３４】
これらのアジュバントは、投与経路、投与量、投与時期などに依存して免疫応答の増強または抑制に効果を示す。さらにアジュバントの種類によって、抗原に対する血中抗体産生、細胞性免疫の誘導、免疫グロブリンのクラスなどに差が認められる。それゆえ、目的とする免疫応答に応じて、アジュバントを適切に選択することが好ましい。選択されたアジュバントの取扱い、例えばミティスとの混合方法などは当該分野で公知の方法で行なう。
【００３５】
哺乳動物の免疫は、当該分野で公知の方法に従って行われる。例えば、抗原であるミティスは、哺乳動物の皮下、皮内、静脈、または腹腔内に注射される。免疫応答は、免疫される哺乳動物の種類および系統によって異なるので、免疫スケジュールは、使用される動物に合わせて適切に変更してもよい。抗原投与は、最初の免疫の後に、何回か繰り返される。追加免疫は、例えば、最初の免疫から４週間後、６週間後、および半年後に行われる。
【００３６】
（抗体産生の確認）
免疫後、哺乳動物から採血し、得られた血液をミティス結合活性の有無についてアッセイすることにより、哺乳動物の体内でミティスに対する抗体が産生されていること、および免疫末期にはＩｇＭからＩｇＧへのクラススイッチが起こっていることを確認する（例えば、ＨａｒｌｏｗおよびＬａｎｅ、ＡＮＴＩＢＯＤＩＥＳ：  Ａ  ＬＡＢＯＲＡＴＯＲＹ  ＭＡＮＵＡＬ、ＣＯＬＤ  ＳＰＲＩＮＧ  ＨＡＲＢＯＲ  ＬＡＢＯＲＡＴＯＲＹ、Ｎｅｗ  Ｙｏｒｋ  （１９８８）を参照のこと）。適切なアッセイ方法の例として、酵素免疫測定法（ＥＬＩＳＡ法）、放射免疫アッセイ法（ＲＩＡ）、蛍光抗体法が挙げられる。本実施形態では、ミティスに対して高親和性を有する抗ミティスモノクローナル抗体を得ることが望ましい。従って、高親和性のモノクローナル抗体産生細胞を得るためには、抗血清の時点で高い抗体価を示している必要がある。
【００３７】
（ブースト）
ミティスに対して高親和性を有する抗ミティスモノクローナル抗体の産生を確認した後、脾臓を肥大させるために、ブースト（免疫原の追加注射）を行なう。ブーストで投与されるミティスの量は、最初に免疫されるミティスの量の約４〜５倍の量が望ましいが、これに限定されない。
【００３８】
ブーストは、代表的には、ミティスと不完全フロイントアジュバントとのエマルジョンを用いて行われる。ただし、最終免疫（細胞融合数日前の免疫原の追加注射）では、アジュバントを加えず純粋品（ミティスの菌体のみの懸濁液）を用いることが好ましい。投与経路は、皮下、皮内、静脈、または腹腔内それぞれの投与によって、ミティスの異なった部位を認識する抗体が得られる可能性があることを考慮して、適宜決定される。
【００３９】
（細胞融合）
最終免疫後、免疫した哺乳動物から脾臓細胞を摘出し、骨髄腫由来の細胞株の細胞と細胞融合する。
【００４０】
融合細胞の増殖能力は、細胞融合時に用いられる骨髄腫由来の細胞株の種類に依存するので、細胞融合には、増殖能力の優れた細胞株を用いることが好ましい。また、骨髄腫由来の細胞株は、融合する脾臓細胞の由来する哺乳動物と適合性があることが好ましい。骨髄腫由来の細胞株は、新たに調製してもよいし、市販品を使用してもよい。マウスの骨髄腫由来の細胞株としては、Ｐ３Ｘ６３  Ａｇ８．６５３、Ｓｐ２／Ｏ  Ａｇ１４、ＦＯ・１、Ｓ１９４／５．ＸＸ０  ＢＵ．l、Ｐ３／ＮＳ１／１  Ａｇ４  １などが挙げられる。Ｐ３Ｘ６３  Ａｇ８．６５３の使用が、抗体の断片を産生せず、かつ融合細胞の増殖能力が優れたものとなるため好ましい。ラット骨髄腫由来の細胞株としては、２１０、ＲＣＹ３．Ａｇ．１．２．３、ＹＢ２／０などが挙げられる。
【００４１】
細胞融合は、当該分野で公知の方法に従って行われる（ＫｏｅｈｌｅｒおよびＭｉｌｓｔｅｉｎ、Ｎａｔｕｒｅ  ２５６：４９５［１９７５］、Ｋｏｓｂｏｒら、１９８３、Ｉｍｍｕｎｏｌ．  Ｔｏｄａｙ  ４：７２、Ｃｏｔｅら、１９８３、Ｐｒｏｃ．Ｎａｔｌ．Ａｃａｄ．Ｓｃｉ．ＵＳＡ、８０：２０２６、Ｃｏｌｅら、ＭＯＮＯＣＬＯＮＡＬ  ＡＮＴＩＢＯＤＩＥＳ  ＡＮＤ  ＣＡＮＣＥＲ  ＴＨＥＲＡＰＹ、Ａｌａｎ  Ｒ  Ｌｉｓｓ  Ｉｎｃ．、Ｎｅｗ  Ｙｏｒｋ、ＮＹ、７７−９６頁［１９８５］などを参照のこと）。細胞融合の方法の例として、例えば、ポリエチレングリコール法、センダイウイルスを用いた方法、電流を利用する方法などが挙げられる。細胞毒性も比較的少なく、融合操作も容易で再現性が高いため、ポリエチレングリコール法が好ましい。
【００４２】
得られた融合細胞は、当該分野で公知の条件に従って増殖させる。この後、産生される抗体の結合能に基づいて、所望の融合細胞を選択する。
【００４３】
以上の内容が、工程Ｓｔ１の詳細である。次に、工程Ｓｔ２の詳細を説明する。
【００４４】
（細胞選別およびクローニング）
融合細胞から産生される抗体の結合能は、当該分野で公知の方法に基づいてアッセイされる。本実施形態においては、ミティスに高い結合能を有し、ミティス以外のストレプトッコカス属細菌に対して結合能を有さない、もしくは低い結合能を有する抗体を産生する融合細胞を得るために、ミティス以外のストレプトッコカス属細菌に対する結合能に基づく選別を行なった後、それによって得られた細胞株をクローニングする。このため、本実施形態によって得られるミティスに対して特異的なモノクローナル抗体（抗ミティスモノクローナル抗体）は、交叉反応性がほとんどない。
【００４５】
なお、本明細書中で用語「ミティスに対して特異的なモノクローナル抗体（抗ミティスモノクローナル抗体）」とは、ミティスに高い結合能を有し、ミティス以外のストレプトッコカス属細菌に対して結合能を有さないか、もしくは低い結合能を有する抗体を意味する。
【００４６】
また、本明細書中で用語「高い結合能を有する」とは、後述する実施例に記載されたインヒビションＥＬＩＳＡ法と実質的に同一の条件での測定においてインヒビションがかかり、インヒビションの半値が約１０-6Ｍ以下であることをいう。用語「低い結合能を有する」とは、同じ測定においてインヒビションがかかるが、インヒビションの半値が約１０-5Ｍ以上（例えば、１０-4Ｍ、１０-3Ｍなど）であることをいう。用語「結合能を有さない」とは、同じ測定においてインヒビションがかからないことをいう。
【００４７】
さらに、用語「インヒビションがかかる」とは、固相に固定されたミティスに結合する抗体の量が、競合物質（インヒビター）の存在下で、インヒビターの不存在下と比較して減少することをいう。用語「インヒビションがかからない」とは、固相に固定されたミティスに結合する抗体の量が、インヒビターの存在下および不存在下で実質的に同等であることをいう。「インヒビションの半値」とは、インヒビターの不存在下での吸光度（抗体の結合量を反映する）の半分の吸光度が測定されるインヒビターの濃度をいう。
【００４８】
抗体の結合能は、抗体産生の確認に関して上述したのと同様に、ＥＬＩＳＡ法、ＲＩＡ法、蛍光抗体法などの方法を用いてアッセイされる。簡便に感度よく抗体の結合能を測定することが可能なことから、ＥＬＩＳＡ法が好ましい。
【００４９】
融合細胞のクローニングには、当該分野で公知の方法が用いられる。クローニングの方法の例としては、限界希釈法、軟寒天法などが挙げられる。操作も容易で数多くの実績があり、再現性が高いため、限界希釈法が好ましい。
【００５０】
細胞融合により得られた多くの融合細胞の中から、効率よく有用な細胞を選択するために、細胞選別は、クローニングの初期の段階から行なうことが好ましい。
【００５１】
このようにして、望ましい結合能を有する抗体を産生する融合細胞の細胞株が最終的に選別される。
【００５２】
以上の内容が工程Ｓｔ２の詳細である。さらに、工程Ｓｔ２の後には以下に述べる工程が行なうことが好ましい。勿論、選別された細胞株を、液体窒素中で半永久的に保存することも可能である。
【００５３】
（抗体の精製）
上記のようにして選別されたモノクローナル抗体産生細胞株を大量培養することによって、ミティスに対して特異的なモノクローナル抗体を大量に産生させることができる。モノクローナル抗体産生細胞株の大量培養方法として、インビボおよびインビトロでの培養が挙げられる。インビボでの大量培養の例としては、哺乳動物の腹腔内に融合細胞を注射して増殖させ、腹水中に抗体を産生させる方法が挙げられる。インビトロでの培養では、融合細胞が培地中で培養され、抗体が培地中に産生される。
【００５４】
大量培養により得られた腹水または培養上清から、当該分野で公知の方法を用いて、本実施形態のモノクローナル抗体を精製する。精製のためには、例えば、ＤＥＡＥ陰イオン交換クロマトグラフィー、アフィニティークロマトグラフィー、硫安分画法、ＰＥＧ分画法、エタノール分画法などが適宜組み合わせて用いられる。本実施形態の抗体は、通常、約９０％の純度、好ましくは約９５％の純度、より好ましくは約９８％の純度となるように精製される。
【００５５】
以上のようにして、本実施形態の細胞株および抗体は作製される。
【００５６】
―ミティス検出キット―
次に、本実施形態のミティス検出キットを説明する。
【００５７】
本実施形態のミティス検出するためのミティス検出キットは、第１の抗体および第２の抗体を含むミティス検出キットであって、第１の抗体が、抗ミティス抗体であり、第２の抗体が、標識された抗ミティス抗体であり、第１の抗体または第２の抗体の少なくとも一方が、上述の作製方法によって得られた抗ミティスモノクローナル抗体である。
【００５８】
本実施形態のミティス検出キットによれば、第１の抗体と第２の抗体とがミティスを挟むように結合する。このため、ミティスをサンドイッチ方式のアッセイによって検出および定量することができる。例えば、第１の抗体または第２の抗体の少なくとも一方を固定しておけば、ミティスと第１の抗体と第２の抗体とが結合した複合体が固定され、第２の抗体の標識を測定することによって、ミティスを容易に検出することができる。
【００５９】
特に、本実施形態のミティス検出キットでは、第１の抗体または第２の抗体の少なくとも一方が、上述の作製方法によって得られた抗ミティスモノクローナル抗体であるため、ミティス以外のストレプトッコカス属細菌に対する交叉反応性がほとんどない。従って、ミティスの検出および定量を簡便且つ正確に行なうことができる。
【００６０】
第２の抗体は、当該分野で公知の方法により任意の標識方法により標識される。標識方法の例としては、酵素標識、色素標識、磁性標識、放射性標識、色の付いた粒子（金コロイド、ラテックスなど）による標識などが挙げられる。
【００６１】
本実施形態のミティス検出キットは、当該分野で公知の方法により適切に作製され、２つの容器中に第１の抗体および第２の抗体の各溶液をそれぞれ封入した状態で提供される。また、ミティスのサンドイッチ方式のアッセイにおける第１および第２の抗体の使用を教示する説明教材を、本実施形態のミティス検出キットに同梱してもよい。さらに、標識の検出のための試薬、陽性コントロールおよび陰性コントロールを検出するための試薬、洗浄溶液、希釈緩衝液などを、本実施形態のミティス検出キットに同梱してもよい。
【００６２】
―ミティス検出キットを用いた免疫クロマトグラフィー―
特定の細菌に特異的に結合する任意の２種の抗体の組合せは、その細菌のサンドイッチ方式のアッセイのために有用である。しかしながら、細菌の菌体表面上には、同一種類のタンパク質が多く存在するため、１種類のモノクローナル抗体を使用してサンドイッチ方式のアッセイを行なうことも可能である。
【００６３】
特に、本実施形態のミティス検出キットを用いれば、例えば、抗原抗体反応に基づいて水性試料液中のミティスを検出するサンドイッチ方式のアッセイの１つである免疫クロマトグラフィーを簡単に実施することができる。
【００６４】
ミティスを検出するための免疫クロマトグラフィーは、本実施形態のミティス検出キットの第１の抗体を、固相（例えば、濾紙、ニトロセルロースメンブレン、酢酸セルロースメンブレン、ガラス繊維濾紙、不織布などの多孔質性材料から形成された基材シート）に固定化しておき、第２の抗体を、移動相（例えば、試料液など）に添加することによって、実施することができる。
【００６５】
第２の抗体を、移動相（例えば、試料液など）に添加すると、第２の抗体とミティスとが反応し、第２の抗体−ミティス複合体が形成される。この第２の抗体−ミティス複合体を含む試料液を固体化された第１の抗体と反応させると、第１の抗体および第２の抗体は、ミティスを介してサンドイッチ状に結合する。従って、ミティスが存在する場合にのみ、ミティスを介して固相上に標識が固定化され、固相上に標識を確認することができる。
【００６６】
固相に固定化される第１の抗体としては、独立行政法人産業技術総合研究所特許生物寄託センター受託番号ＦＥＲＭ  ＢＰ−０８５９９号の細胞株により産生されるモノクローナル抗体を使用することが好ましい。これは、上述の作製方法で述べたように、独立行政法人産業技術総合研究所特許生物寄託センター受託番号ＦＥＲＭ  ＢＰ−０８５９９号の細胞株により産生される抗ミティスモノクローナル抗体は、ミティスに高い結合能を有し、ミティス以外のストレプトッコカス属細菌には結合能を有しないからである。
【００６７】
第２の抗体としては、ミティスに高い結合能を有する限り任意の抗体を使用することができる。第２の抗体は、ポリクローナル抗体であってもよいし、モノクローナル抗体であってもよい。好ましくはモノクローナル抗体が用いられる。第２の抗体として独立行政法人産業技術総合研究所特許生物寄託センター受託番号ＦＥＲＭ  ＢＰ−０８５９９号の細胞株により産生されるモノクローナル抗体を使用することが好ましい。これは、上述の作製方法で述べたように、独立行政法人産業技術総合研究所特許生物寄託センター受託番号ＦＥＲＭ  ＢＰ−０８５９９号の細胞株により産生される抗ミティスモノクローナル抗体は、ミティスに高い結合能を有し、ミティス以外のストレプトッコカス属細菌には結合能を有しないからである。
【００６８】
ここで、上述の本実施形態のミティス検出キットの改変例として、免疫クロマトグラフィー試験片を図２を参照しながら説明する。図２は、本実施形態の免疫クロマトグラフィー用試験片を表す図であり、図３（ａ）〜図３（ｃ）は本実施形態の免疫クロマトグラフィー用試験片を用いたときの作用を模式的に表す図である。
【００６９】
図２に示すように、本実施形態の免疫クロマトグラフィー用試験片１０は、試料導入部１２と、標識部１３と、固定化部１４とを備える基材１１から構成されている。
【００７０】
基材１１は、ミティスを含む試料液の溶媒を含浸する材料から形成されており、例えば、ニトロセルロースメンブレン、酢酸セルロースメンブレン、ガラス繊維濾紙、不織布などの多孔質性材料から形成されている。特に、ニトロセルロースメンブレンが好ましい。これらの材料は、毛細管現象によって試料液を展開することができる。
【００７１】
試料導入部１２には、ミティスを含む試料液が導入（例えば、滴下）される領域である。
【００７２】
標識部１３には、標識物質などで標識された第２の抗体１５が試料液中に溶出可能な状態で含まれている。
【００７３】
固定化部１４には、第１の抗体１６が固定化されている。
【００７４】
検出対象物質を測定する際には、本実施形態の免疫クロマトグラフィー試験片１０では以下のような現象が起こる。
【００７５】
まず、図３（ａ）に示すように、免疫クロマトグラフィー試験片１０を用意し、ミティス１７を含む試料液を免疫クロマトグラフィー試験片１０の一端にある試料導入部１２に滴下する。次に、試料液を試料導入部１２から固定化部１６に向かって展開すると、図３（ｂ）に示すように、標識部１３に、毛細管現象によって試料液が到達し、抗原抗体反応によって第２の抗体１５とミティス１７との複合体１８が形成される。形成された複合体１８は、試料液の毛細管現象による流れに沿って、第１の抗体１６が固定化された固定化部１３に到達し、ここで抗原抗体反応によって第１の抗体１６に捕らえられ、図３（ｃ）に示すように、複合体１９が形成される。このとき、複合体１８以外のものは毛細管現象の流れに沿って、固定化部１３を通過するので、固定化部１３には複合体１９だけが残存する。ここで、第２の抗体１５の標識に由来する出力を測定（例えば反射吸光度などを測定）することによって、試料液中のミティス１７の検出、試料液中のミティス１７の濃度の測定が可能になる。つまり、一般的な光学機器（吸光光度計など）以外、特別な装置を必要とせず、非常に簡単にミティスの検出および定量を行なうことができる。
【００７６】
―その他―
本実施形態の「抗ミティスモノクローナル抗体」には、その結合特性を保持した機能性の断片もまた含まれる。これらの断片は、それらが由来するインタクトな抗体とミティスへの特異的結合について競合し得、少なくとも１０7、１０8、１０9Ｍ-1、または１０10Ｍ-1の親和性で結合し得る。抗体の断片は、免疫グロブリンの重鎖、軽鎖、Ｆａｂ、Ｆａｂ’、（ａｂ’）2、ＦａｂｃおよびＦｖを含む。抗体の断片は、インタクトな免疫グロブリンの酵素的または化学的分離によって生じる。例えば、Ｆ（ａｂ’）2断片は、ＨａｒｌｏｗおよびＬａｎｅ、ＡＮＴＩＢＯＤＩＥＳ：Ａ  ＬＡＢＯＲＡＴＯＲＹ  ＭＡＮＵＡＬ、ＣＯＬＤ  ＳＰＲＩＮＧ  ＨＡＲＢＯＲ  ＬＡＢＯＲＡＴＯＲＹ、Ｎｅｗ  Ｙｏｒｋ（１９８８）に記載されたような標準的な方法を用い、ｐＨ３．０〜３．５においてペプシンでタンパク質消化することによってＩｇＧ分子から得ることができる。Ｆａｂ断片は、限定的還元によってＦ（ａｂ’）2断片から、あるいは還元剤の存在下パパイン消化によって全抗体から得ることができる（Ｐａｕｌ、Ｗ．編、ＦＵＮＤＡＭＥＮＴＡＬ  ＩＭＭＵＮＯＬＯＧＹ第２版  Ｒａｖａｎ  Ｐｒｅｓｓ、Ｎ．Ｙ．、１９８９、第７章を参照のこと）。
【実施例】
【００７７】
以下、本発明のモノクローナル抗体産生細胞株の作製についてさらに具体的に説明する。本発明は以下の実施例によって限定されるものではない。なお、以下に説明する実施例において、得られた抗血清、培養上清およびモノクローナル抗体の評価は、ＥＬＩＳＡ法により行なった。その操作法を以下に記載する。
【００７８】
＜酵素免疫測定法（ＥＬＩＳＡ法）＞
（Ａ）抗原（ミティス）のコーティング
ミティスを、１０8細胞／ｍＬの濃度に調製した。マイクロプレート（ポリスチレン製高結合型平底＃２５８０、コスター社製）に抗原溶液を１００μｌ／ウェル注入し、室温で飽和水蒸気中に一晩保存した。実験直前に、アスピレータで抗原溶液を除去した。
【００７９】
（Ｂ）ブロッキング
１重量％ＢＳＡ−ＰＢＳ−Ａｚ（Ａｚ：アザイドナトリウム塩）を２００μｌ／ウェル注入し、３０分間室温で放置した。その後、アスピレータで１重量％ＢＳＡ−ＰＢＳ−Ａｚを除去した。以降の実験を即日に行わないときは、この状態で、飽和水蒸気中に４℃で保存した。
【００８０】
（Ｃ）抗体の反応
１重量％ＢＳＡ−ＰＢＳ−Ａｚで種々の濃度に希釈した抗体溶液（抗血清、培養上清、精製抗体等）を５０μｌ／ウェル、および１重量％ＢＳＡ−ＰＢＳ−Ａｚを５０μｌ／ウェルで注入した。常温で１時間半放置した後、ＰＢＳで３回洗浄し、アスピレータで残存するＰＢＳを除去した。
【００８１】
（Ｄ）二次抗体の反応
０．２μｇ／ｍＬのペルオキシダーゼ標識したヤギ由来の抗マウスＩｇＧ抗体（ＫＰＬ社製）を１重量％ＢＳＡのＰＢＳ溶液に溶解したもの、または０．２μｇ／ｍＬのペルオキシダーゼ標識したヤギ由来の抗マウスＩｇＭ抗体（ＫＰＬ社製）を１重量％ＢＳＡのＰＢＳ溶液に溶解したものを５０μｌ／ウェル注入し、常温で３０分放置した。ＰＢＳで３回洗浄し、さらにアスピレータで残存するＰＢＳを除去した。
【００８２】
（Ｅ）基質の反応と停止
Ｏ−フェニレンジアミン（生化学用）４０ｍｇを１０ｍＬのクエン酸−リン酸バッファー（ｐＨ５）に溶解し、使用直前に３０重量％過酸化水素水４μＬを加えた溶液（基質溶液）を１００μｌ／ウェル注入し、室温放置した。約３分後、４Ｎ硫酸を２５μｌ／ウェル注入して反応を停止した。
【００８３】
（Ｆ）測定
マイクロプレートリーダ（東洋ソーダ社製）を用いて４９２ｎｍの吸光度を測定した。
【００８４】
なお、本実施例では得られた抗血清、培養上清およびモノクローナル抗体の評価法として酵素免疫測定法を用いたが、他にＲＩＡ法、蛍光抗体法等の他の免疫測定法を用いてもよい。
【００８５】
＜実施例＞
本実施例においては、本発明者らの研究所で実績があること、およびモノクローナル抗体産生細胞株確立後の腹水による抗体大量培養においてはＢＡＬＢ／Ｃ系統マウスが最もよく使用されることを考慮に入れ、ＢＡＬＢ／Ｃ系統マウスを免疫に使用した。
【００８６】
（免疫）
免疫原であるミティスを、生理食塩濃度リン酸緩衝液（ＰＢＳ）を用いて１０8細胞／ｍＬに調製した。このミティスのＰＢＳ溶液に、同体積のアジュバント（ヒト結核死菌含有完全フロイントアジュバント、和光純薬製、Ｈ３７Ｒｖ）を添加し、ホモジナイザで回転数１０００ｒｐｍで充分に乳化することにより、免疫原を含むアジュバントエマルジョンを得た。
【００８７】
生後約７週間の雌のマウス（ＢＡＬＢ／Ｃ）１５匹に、免疫原を合むアジュバントエマルジョンを１００μｌずつ腹腔内、あるいは皮下に注射した。２週間後、ＰＢＳを用いて１０8細胞／ｍＬに調製したミティス溶液およびこれと同体積の不完全フロイントアジュバントをホモジナイザで乳化し、このエマルジョンをＢＡＬＢ／Ｃマウスに前回と同じ部位に１００μｌずつ注射した。
【００８８】
その後、免疫開始より４週間後、６週間後、および半年後に、２週間後の免疫と同じ組成、濃度のミティスを含む不完全フロイントアジュバントエマルジョンを、マウスに１００μｌずつ前回と同じ部位に注射した。２回目の注射の１週間後と５回目の注射の１週間後にそれぞれ採血し、以下に示す抗体産生を確認した。
【００８９】
（抗体産生の確認）
採取した血液から血清を分離し、得られた血清を用いて、酵素免疫測定法（ＥＬＩＳＡ法）により抗体産生の確認をした。固相としてＰＢＳ−Ａｚで調製した１０8細胞／ｍＬのミティスを、１００μｌ／ウェルずつ分注し、室温で一晩コートしたマイクロプレートを使用した。二次抗体としてペルオキシダーゼ標識抗マウスＩｇＧ抗体、またはペルオキシダーゼ標識抗マウスＩｇＭ抗体を使用した。ウェル中での発色により、抗体サンプル中にミティスに結合する抗体が存在することが確認される。
【００９０】
その結果、１５匹すべてのマウスにおいて抗ミティス抗体の産生が認められた。さらに、いずれのマウスにおいても、２回目の注射後に抗体産生がＩｇＧからＩｇＭへシフトしていることが確認され、５回目の注射後にはＩｇＧ／Ｉｇ比が３００以上でありクラススイッチが充分起こっていることを確認した。
【００９１】
（細胞融合）
免疫したマウスの中で特に力価の高かった３匹の脾臓を肥大させるために、最終免疫を行なった。免疫開始から６ヶ月後、免疫原のミティスを、ＰＢＳを用いて１０８細胞／ｍＬの濃度に調製し、アジュバントを加えずにマウスに１００μｌずつ注射した。
【００９２】
最終免疫後３日を経過したマウスのうち１匹の脾臓細胞を摘出した。平均分子量１，５００のポリエチレングリコールを用いて、常法により、脾臓細胞とマウス骨髄腫由来細胞株（Ｐ３Ｘ６３  Ａｇ８．６５３）とを融合させ、融合細胞を得た。
【００９３】
融合細胞を、１５重量％のウシ胎児血清（以下、ＦＣＳ）を含むイシコフ培地で調製したヒポキサンチン／アミノプテリン／チミジン（ＨＡＴ）培地に浮遊させた後、９６ウェルプレート１枚にまいた（２００μｌ／ウェル）。この際、フィーダー細胞（培養開始時に成長因子を供給する細胞）は同じマウス個体の脾臓細胞を用いた。ＣＯ2インキュベータ（ＣＯ2濃度：５体積％、温度：３７℃、湿度：９５％）内で培養を開始した。以下の培養では、他に示さない限り、これと同じ条件で培養を行なった。
【００９４】
（細胞選別およびクローニング）
１週間後、融合細胞の培養上清を１００μｌ採取した後、融合細胞を含む残りの培養液を４枚の２４ウェルプレートに継代し、各ウェルに１ｍｌの１５重量％のＦＣＳを含むヒポキサンチン／チミジン（ＨＴ）培地を加えた。
【００９５】
融合細胞を２４ウェルプレートに継代した４日後、細胞培養上清を１５０μｌ／ウェルずつ採取した。この培養上清と、培養開始後１週間目に採取した培養上清を用いて以下に示すＥＬＩＳＡ法により、ミティスに対する結合能を測定した。
【００９６】
固相として０．１ｍｇ／ｍＬ・ＢＳＡ−ＰＢＳ−Ａｚで５μｇ／ｍＬの濃度に調製したミティスを、１００μｌ／ウェルずつ使用した。抗体液として、細胞培養上清を使用した。二次抗体としてペルオキシダーゼ標識抗マウスＩｇＧ抗体を使用した。
【００９７】
２回採取した培養上清のＥＬＩＳＡ法結果を合わせて、ミティスに対して高い結合能を有する、増殖状態の良い２０ウェルを確認した。第１段階の選択として、これらのウェルの細胞を、すべて４枚の６ウェルプレートに継代し、各ウェルに４ｍｌの１５重量％のＦＣＳを合むＨＴ培地を加えた。
【００９８】
第１段階の細胞選別の２日後、培養上清を採取し、以下に示すＥＬＩＳＡ法によりミティスに対する結合能を測定した。
【００９９】
固相としてＰＢＳ−Ａｚで１０8細胞／ｍＬの濃度に調製したミティスを、１００μｌ／ウェルずつ使用した。抗体液として細胞培養上清を使用した。二次抗体として、ペルオキシダーゼ標識抗マウスＩｇＧ抗体を使用した。
【０１００】
この結果、ミティスに対して高い結合能を有したウェルを、１０ウェル選別した。これらのウェルの細胞を、それぞれ、中フラスコ（容量５０ｍｌ）に継代した。培地は１５重量％のＦＣＳを含むＨＴ培地を４５ｍｌずつ加えた。
【０１０１】
第２段階の選択を受けた細胞の継代３日後、培養上清を採取し、以下に示すＥＬＩＳＡ法によりミティス、他のストレプトッコカス種（ストレプトコッカス・ミュータンス）に対する結合能を測定した。
【０１０２】
固相として、ＰＢＳ−Ａｚで１０8細胞／ｍＬの濃度に調製したミュータンスを、１００μｌ／ウェルずつ使用した。抗体液として細胞培養上清を使用した。二次抗体として、ペルオキシダーゼ標識抗マウスＩｇＧ抗体を使用した。細胞培養上清中に、ミュータンスに結合する抗体が存在するとウェル上に発色する。
【０１０３】
ミティスでのみ結合能を示し、ミティス以外のストレプトッコカス属細菌であるミュータンスに結合能を示さないウェルを、１ウェル選別した。
【０１０４】
上記の選別した１ウェルの細胞について、１５重量％のＦＣＳを含むＨＴ培地を用いて、１ウェルあたり２個の細胞が含まれる濃度に希釈（限界希釈）し、９６ウェルのマイクロプレート２枚に分注した。フィーダーとして生後４週の雌のマウス（ＢＡＬＢ／Ｃ）の胸腺細胞を用いて初期増殖を促した。プレートのサイズを上げながら培養を進め、適時細胞培養上清について上記のＥＬＩＳＡ法によるスクリーニングを繰り返した。ミティスに対して高い力価を示し、かつ良好な増殖を示している細胞株を最終的に選別し、２００ｍＬの培地中で５×１０5細胞／ｍＬの濃度に至るまで培養を進めた。最終的に、ミティスに対して高い結合能を有し、かつミティス以外のストレプトッコカス属細菌に対して交叉反応を起こさない株を１株選定した。
【０１０５】
ミティスに対して高い結合能を示した中の１株を細胞株名：ＳＭ−１と命名し、独立行政法人産業技術総合研究所特許生物寄託センターに平成１６年１月２２日に国内寄託した（独立行政法人産業技術総合研究所特許生物寄託センター受託番号ＦＥＲＭ  ＢＰ−０８５９９号）。ＳＭ−１株の産生する抗体を、ＳＭ−１抗体と称する。
【０１０６】
（細胞の保存）
最終的に選別された細胞株は、遠心分離して上清を取り除き、１×１０7細胞／ｍＬの濃度でＦＣＳ：ジメチルスルフォキシド＝９：１（体積比）の溶液１ｍＬに浮遊させ、−８０℃で予備凍結した後、液体窒素中に移して長期保存状態にした。
【０１０７】
（抗体の精製）
選択した細胞株を、１５重量％ＦＣＳを含むイシコフ培地で大量培養し、その上清を遠心分離した。また、選択した細胞株を、雌のＢＡＬＢ／Ｃマウスの腹腔内に注射して増殖させ、腹水を蓄積させた。蓄積した腹水を採取した。選択した細胞株の培養上清あるいは腹水を、プロテインＡ結合ゲル（プロテインＡセファロース４ＦＦ、ファルマシア製）を用いたアフィニティークロマトグラフィにかけ、以下の条件でモノクローナル抗体（ＳＭ−１抗体）を精製した。
【０１０８】
プロテインＡ結合ゲルを充填したカラムを、結合緩衝液（１．５Ｍ  グリシン・３Ｍ  ＮａＣｌ、ｐＨ８．９）で平衡化した。培養上清あるいは腹水を、結合緩衝液で約３倍に希釈した後、平衡化したカラムにアプライした。カラムからの溶出液を２８０ｎｍでモニターしながら、不純物の溶出が終了するまで、カラムを結合緩衝液で洗浄した。洗浄後、溶出緩衝液（１００ｍＭクエン酸、ｐＨ４）をカラムにアプライ（線流速：約２０ｃｍ／時間）し、ＩｇＧ含有溶出液を回収した。回収したＩｇＧ含有溶出液について、吸光光度計で２８０ｎｍの吸光度を測定し、測定された吸光度を吸光係数で換算することにより、抗体の濃度を決定した。
【０１０９】
ＳＤＳポリアクリルアミドゲル電気泳動による標準タンパク質との比較から、これらのモノクローナル抗体（ＳＭ−１）の精製分画は、分子量約５０，０００のＨ鎖と約２５，０００のＬ鎖からなるＩｇＧであることを確認した。なお、電気泳動上で、不純物の混入は検出限界以下であった。
【０１１０】
（抗体の評価）
上記のアフィニティークロマトグラフィにより精製したモノクローナル抗体について、ミティスの希釈系列を用いて、上記第２段階の選択におけるインヒビションＥＬＩＳＡ法と同一条件で抗体評価を行った。図４は、ＳＭ−１抗体について、ミティスおよびミュータンスに対する結合能をＥＬＩＳＡ法により測定した結果を示すグラフである。
【０１１１】
図４に示すように、ＳＭ−１抗体では、１倍および１０倍希釈液でミティスに対する結合が観察されたのに対し、ミュータンスに対してはいずれの希釈液についても結合は観察されず、ＳＭ−１抗体によって特異的にミティスを検出することが可能であることが示された。
【０１１２】
（サンドイッチ反応）
ＥＬＩＳＡ法においてＳＭ−１抗体をプレートにコートし、ミティスを結合させ、酵素標識したポリクローナル抗体を反応させた後に余分な抗体を除去し、発色基質を添加してインキュベートしたところ、充分な発色が得られた。つまり、ＳＭ−１抗体と、ポリクローナル抗体との組合せは、免疫クロマトグラフィーなどのサンドイッチ反応を利用した検査方法に有用であることが確認できた。
【０１１３】
（免疫クロマトグラフィーにおける検出感度）
常法に従ってＳＭ−１抗体を濾紙上に固定化し、免疫クロマトグラフィー用試験片を作製した。このとき、金コロイド標識したポリクローナル抗体を移動相に含ませて用いた。種々の濃度でミティスを含むサンプルをアプライしたところ、この免疫クロマトグラフィー用試験片の感度は、約１０6細胞／ｍｌであった。
【０１１４】
一般に、健常人の口腔内中のミティスレベルは、約１０4〜１０7細胞／ｍｌであることが知られている。従って、本発明の抗ミティスモノクローナル抗体を用いて作製された免疫クロマトグラフィー用試験片は、口腔内中のミティスを検出することが可能である。
【産業上の利用可能性】
【０１１５】
本発明の抗ミティスモノクローナル抗体、それを産生する細胞株、抗ミティスモノクローナル抗体の作製方法、およびミティス検出キットは、ミティスの検出および定量を簡便且つ正確に行なうことが必要な口腔衛生の判定等について有用である。
【図面の簡単な説明】
【０１１６】
【図１】図１は、抗ミティスモノクローナル抗体およびそれを産生する細胞株の作製方法を表すフローチャートである。
【図２】図２は、免疫クロマトグラフィー用試験片を表す模式図である。
【図３】図３（ａ）〜図３（ｃ）は免疫クロマトグラフィー用試験片を用いたときの作用を模式的に表す図である。
【図４】図４は、ＳＭ−１抗体について、ミティスおよびミュータンスに対する結合能をＥＬＩＳＡ法により測定した結果を示すグラフである。
【符号の説明】
【０１１７】
１０  免疫クロマトグラフィー用試験片
１１  基材
１２  試料導入部
１３  標識部
１４  固定化部
１５  第２の抗体
１６  第１の抗体
１７  ミティス
１８  複合体
１９  複合体
【図１】
2005220044.tif 000003
【図２】
2005220044.tif 000004
【図３】
2005220044.tif 000005
【図４】
2005220044.tif 000006